(57)【要約】【課題】  録画する番組の内容によって、録画時の映像の記録ビットレートと音声の記録ビットレートとの配分や、映像や音声の記録フォーマットを制御することができる録画装置を提供する。【解決手段】  録画装置において、テレビジョン信号受信部１００と、番組の録画時に、映像信号および音声信号を圧縮し、圧縮映像音声多重化データとして出力する映像・音声圧縮記録制御部１１０と、圧縮映像音声多重化データを記録媒体に記録する蓄積記録部１２０と、映像・音声圧縮記録制御部１１０を制御し、番組の録画制御を行う記録制御部１４０とを備え、記録制御部１４０は、番組の録画制御をする際、録画する番組の番組情報に基づいて、映像・音声圧縮記録制御部１１０での映像信号および音声信号の圧縮処理における、映像の記録ビットレートと音声の記録ビットレートの配分情報を設定して録画制御する。【選択図】  図１
2006013977.tif 000002
【特許請求の範囲】
【請求項１】
放送された番組を受信し、映像信号および音声信号を出力するテレビジョン信号受信部と、
前記番組の録画時に、前記テレビジョン信号受信部から出力された前記映像信号および前記音声信号を圧縮し、圧縮映像音声多重化データとして出力する映像・音声圧縮記録制御部と、
前記映像・音声圧縮記録制御部から出力された前記圧縮映像音声多重化データを記録媒体に記録する蓄積記録部と、
前記映像・音声圧縮記録制御部を制御し、前記番組の録画制御を行う記録制御部とを備え、
前記記録制御部は、前記番組の録画制御を行う際、録画する前記番組の番組情報に基づいて、前記映像・音声圧縮記録制御部での前記映像信号および前記音声信号の圧縮処理における、映像の記録ビットレートと音声の記録ビットレートの配分情報を設定して録画制御することを特徴とする録画装置。
【請求項２】
請求項１記載の録画装置において、
前記記録制御部は、ユーザからの操作により、前記番組の録画予約情報を作成する際、録画予約された番組の番組情報に基づいて、前記録画予約情報に、前記映像・音声圧縮記録制御部での前記映像信号および前記音声信号の圧縮処理における、映像の記録ビットレートと音声の記録ビットレートの配分情報を設定することを特徴とする録画装置。
【請求項３】
請求項１または２記載の録画装置において、
前記記録制御部は、前記番組の番組情報に基づいて、前記映像・音声圧縮記録制御部での前記映像信号および前記音声信号の圧縮処理における、映像と音声の記録フォーマット情報を設定することを特徴とする録画装置。
【請求項４】
請求項１，２または３記載の録画装置において、
前記記録制御部は、前記番組の番組情報内または入力アナログ映像信号の垂直帰線期間に、ワイド画面に関する情報があると、前記映像の記録ビットレートを低く設定することを特徴とする録画装置。
【請求項５】
請求項１，２，３または４記載の録画装置において、
前記番組に関する電子番組表データを取得し蓄積する電子番組表データ取得・蓄積部を備え、
前記記録制御部は、前記電子番組表データ取得・蓄積部に蓄積された前記電子番組表データから前記録画する番組の番組情報を取得することを特徴とする録画装置。
【発明の詳細な説明】
【技術分野】
【０００１】
本発明は、放送局などから放送または配信された番組などの録画を行う録画装置に関し、特に、番組視聴時の録画や番組の録画予約時の録画モード設定に適用して有効な技術に関するものである。
【背景技術】
【０００２】
従来、放送局などから放送または配信された番組などの録画を行う録画装置では、ユーザによる番組視聴時の録画や番組の録画予約時に、例えば、高画質（ＨＱモード）、標準（ＳＰモード）、長時間（ＬＰモード）等の録画モードは、ユーザ自身により選択可能であり、また、録画装置によっては、ユーザ自身により映像や音声の記録ビットレートをそれぞれ調整して設定可能なものもあった。
【０００３】
また、従来、録画時の録画モードを自動設定するために、電子番組表（以下、ＥＰＧという）データに基づいて、録画時の録画モードを決定する番組録画装置（例えば、特許文献１参照）があった。
【特許文献１】特開２００１−３６８６１号公報
【発明の開示】
【発明が解決しようとする課題】
【０００４】
しかしながら、従来では、録画時の録画モードは、ユーザ自身で選択可能ではあったが、録画する番組の内容により、映像や音声の記録ビットレートをそれぞれ調整して録画する場合でも、ユーザ自身が、最適な記録ビットレートを決定して設定する必要があった。
【０００５】
すなわち、音楽番組や映画などの特定ジャンルの番組を録画する際に、音声をより高音質で録音したい場合や、動きの激しいスポーツなどの特定ジャンルの番組を録画する際に、映像をより高画質で録画したい場合などでは、録画モードの選択ではなく、ユーザ自身が意識して、録画する番組に対する映像や音声の記録ビットレートや、映像や音声の記録フォーマットなどを選択する必要があった。
【０００６】
また、特許文献１に記載のものでも、ＥＰＧデータに基づいて決定されるのは、全体の圧縮率を決定する録画モードのみであり、映像や音声の記録ビットレートは、録画モードによって固定されており、同じ録画モード内において、ＥＰＧデータに基づいた映像や音声の記録ビットレートの配分は変更できなかった。
【０００７】
そこで、本発明の目的は、録画する番組の内容によって、録画時の映像の記録ビットレートと音声の記録ビットレートとの配分や、映像や音声の記録フォーマットを制御することができる録画装置を提供することにある。
【課題を解決するための手段】
【０００８】
本願において開示される発明のうち、代表的なものの概要を簡単に説明すれば、次のとおりである。
【０００９】
本発明による録画装置は、放送された番組を受信し、映像信号および音声信号を出力するテレビジョン信号受信部と、番組の録画時に、テレビジョン信号受信部から出力された映像信号および音声信号を圧縮し、圧縮映像音声多重化データとして出力する映像・音声圧縮記録制御部と、映像・音声圧縮記録制御部から出力された圧縮映像音声多重化データを記録媒体に記録する蓄積記録部と、映像・音声圧縮記録制御部を制御し、番組の録画制御を行う記録制御部とを備え、記録制御部は、番組の録画制御をする際、録画する番組の番組情報に基づいて、映像・音声圧縮記録制御部での映像信号および音声信号の圧縮処理における、映像の記録ビットレートと音声の記録ビットレートの配分情報を設定して録画制御するものである。
【発明の効果】
【００１０】
本願において開示される発明のうち、代表的なものによって得られる効果を簡単に説明すれば以下のとおりである。
【００１１】
本発明によれば、合計の記録ビットレートは同じでも、番組の特性に合致した映像・音声の記録ビットレートの制御や、映像・音声の記録フォーマットを自動選択することができる。
【発明を実施するための最良の形態】
【００１２】
以下、本発明の実施の形態を図面に基づいて詳細に説明する。なお、実施の形態を説明するための全図において、同一の部材には原則として同一の符号を付し、その繰り返しの説明は省略する。
【００１３】
＜録画装置の構成＞
図１により、本発明の一実施の形態に係る録画装置の構成の一例について説明する。図１は本発明の一実施の形態に係る録画装置の構成を示す構成図である。
【００１４】
図１において、録画装置は、テレビジョン信号受信部１００、映像・音声圧縮記録制御部１１０、蓄積記録部１２０、ＥＰＧデータ取得・蓄積部（電子番組表データ取得・蓄積部）１３０、記録制御部１４０、リモコン１５０、リモコン受信部１６０、表示部１７０から構成されている。
【００１５】
テレビジョン信号受信部１００は、放送局などから放送または配信された番組を受信し、番組の映像信号および音声信号を出力する。なお、番組がアナログ放送のものであれば、アナログの映像信号および音声信号がそれぞれ出力され、番組がデジタル放送のものであれば、映像信号および音声信号が多重化されたデジタル信号が出力される。
【００１６】
映像・音声圧縮記録制御部１１０は、テレビジョン信号受信部１００からの映像信号および音声信号が入力され、映像信号および音声信号のそれぞれの圧縮を制御し、圧縮された映像信号および音声信号を多重化して、圧縮映像音声多重化データとして出力する。
【００１７】
蓄積記録部１２０は、映像・音声圧縮記録制御部１１０からの圧縮映像音声多重化データが入力され、ハードディスクやＤＶＤなどの記録媒体に番組のデータとして圧縮映像音声多重化データを記録する。
【００１８】
ＥＰＧデータ取得・蓄積部１３０は、放送局などから放送または配信された番組と共に送信されているＥＰＧデータを取得し蓄積する。ＥＰＧデータは、番組に関する時間情報やカテゴリ情報などの番組情報を持っており、番組の録画予約を行う際や、録画する際の記録ビットレートや録画方式を決定する際に使用される。また、ＥＰＧデータは、放送波に多重化されており、アナログ放送の場合では、例えば、ＶＢＩ（垂直帰線消去期間  Ｖｅｒｔｉｃａｌ  Ｂｌａｎｋｉｎｇ  Ｉｎｔｅｒｖａｌ）に多重化されており、デジタル放送の場合では、例えば、映像信号および音声信号とは別のストリームとして多重化されている。
【００１９】
なお、ＥＰＧデータ取得・蓄積部１３０は、テレビジョン信号受信部１００からＥＰＧデータを取得するようにしてもいいし、放送局からではなく、インターネットなどからＥＰＧデータを取得することも可能である。
【００２０】
記録制御部１４０は、ＥＰＧデータ取得・蓄積部１３０からのＥＰＧデータや、リモコン受信部１６０で受信されたユーザのリモコン１５０操作による予約制御や録画モードの設定などにより、録画予約や録画時の記録ビットレートなどを制御する。また、記録制御部１４０内には、録画予約のための録画予約情報１４１、録画時の記録ビットレートを制御するための記録ビットレート制御用参照テーブル１４２、録画時の録画方式を制御するための録画方式制御用参照テーブルを格納している。
【００２１】
表示部１７０は、記録制御部１４０による予約処理時に操作画面などを表示する。また、表示部１７０には、放送局からの番組の表示や、蓄積記録部１２０に記録された番組も表示される。
【００２２】
＜映像・音声圧縮記録制御部の構成＞
次に、図２および図３により、本発明の一実施の形態に係る録画装置における映像・音声圧縮記録制御部の構成の一例について説明する。図２および図３は本発明の一実施の形態に係る録画装置における映像・音声圧縮記録制御部の構成を示す構成図であり、図２はテレビジョン信号受信部１００からアナログの映像信号および音声信号がそれぞれ出力される場合の構成を示し、図３はテレビジョン信号受信部１００から映像信号および音声信号が多重化されたデジタル信号が出力される場合の構成を示している。
【００２３】
図２において、映像・音声圧縮記録制御部１１０は、アナログデジタル変換部１１１，１１２、映像圧縮処理部１１３、音声圧縮処理部１１４、映像データ音声データ多重化処理部１１５、圧縮ビットレート・パラメータ制御処理部１１６から構成されている。
【００２４】
アナログデジタル変換部１１１，１１２は、テレビジョン信号受信部１００からのアナログの映像信号および音声信号をそれぞれデジタルの映像信号および音声信号に変換して出力する。
【００２５】
映像圧縮処理部１１３は、デジタルの映像信号に対して圧縮処理を行う。
【００２６】
音声圧縮処理部１１４は、デジタルの音声信号に対して圧縮処理を行う。
【００２７】
映像データ音声データ多重化処理部１１５は、映像圧縮処理部１１３および音声圧縮処理部１１４で圧縮処理された映像信号および音声信号を多重化し、圧縮映像音声多重化データとして出力する。
【００２８】
圧縮ビットレート・パラメータ制御処理部１１６は、記録制御部１４０からの記録制御信号に基づいて、映像圧縮処理部１１３、音声圧縮処理部１１４および映像データ音声データ多重化処理部１１５を制御し、圧縮ビットレート、圧縮パラメータ、映像方式などの制御を行う。
【００２９】
図３において、映像・音声圧縮記録制御部１１０は、ＡＶ分離部１１７、映像圧縮処理部１１３、音声圧縮処理部１１４、映像データ音声データ多重化処理部１１５、圧縮ビットレート・パラメータ制御処理部１１６から構成されている。
【００３０】
ＡＶ分離部１１７は、テレビジョン信号受信部１００からの映像信号および音声信号が多重化されたデジタル信号をデジタルの映像信号とデジタルの音声信号に分離して出力する。
【００３１】
＜記録ビットレート制御用参照テーブルおよび録画方式制御用参照テーブルの一例＞
次に、図４および図５により、本発明の一実施の形態に係る録画装置における記録ビットレート制御用参照テーブルおよび録画方式制御用参照テーブルの一例について説明する。図４は本発明の一実施の形態に係る録画装置における記録ビットレート制御用参照テーブルの一例を示す図、図５は本発明の一実施の形態に係る録画装置における録画方式制御用参照テーブルの一例を示す図である。
【００３２】
本実施の形態では、同じ録画モード［（例えば、高画質（ＨＱモード）、標準（ＳＰモード）、長時間（ＬＰモード）等］であっても、ＥＰＧデータからの番組のカテゴリ情報に基づいて、映像と音声の記録ビットレートの配分や、映像と音声の記録フォーマットなどを設定できるようにしている。
【００３３】
例えば、映像・音声の記録ビットレート設定を、標準モードとして４．６Ｍｂｐｓ固定とした場合では、番組のカテゴリにより、以下のように音声と映像のビットレートの配分を決定する。
【００３４】
（ａ）ドラマ・ニュース・バラエティ［映像４．６Ｍｂｐｓ＋音声１９２Ｋｂｐｓ］
（ｂ）映画［映像４．２Ｍｂｐｓ＋音声３８６Ｋｂｐｓ］
（ｃ）音楽［映像４．１Ｍｂｐｓ＋音声５１２Ｋｂｐｓ］
また、例えば、映像・音声の記録ビットレート比率を固定した場合では、番組のカテゴリにより、以下のように音声と映像のビットレート比率を決定し、全体の記録ビットレートに基づいて、音声と映像のビットレートの配分を決定する。
【００３５】
（ａ）ドラマ・ニュース・バラエティ［映像：音声＝２０：２］
（ｂ）映画［映像：音声＝２０：３］
（ｃ）音楽［映像：音声＝２０：４］
また、音声符号化方式＋音声ビットレート（映像ビットレートは残分）を固定した場合では、番組のカテゴリにより、以下のように音声の音声符号化方式とビットレートを決定し、残りを映像のビットレートとして、音声と映像のビットレートの配分を決定する。
【００３６】
（ａ）ドラマ・ニュース・バラエティ［ＭＰＥＧ１＋１９２Ｋｂｐｓの符号化レート］
（ｂ）映画［ＤｏｌｂｙＡＣ３＋３８４Ｋｂｐｓの符号化レート］
（ｃ）音楽［ＬＰＣＭ＋１．５Ｍｂｐｓの符号化レート］
このような音声と映像のビットレートの配分に基づいて、予め、例えば、図４に示すような、記録ビットレート制御用参照テーブル１４２を作成し、記録制御部１４０内に格納する。そして、番組の録画時に記録ビットレート制御用参照テーブル１４２を参照することにより、番組のカテゴリに基づいた音声と映像のビットレートの配分を決定することが可能である。
【００３７】
図４に示す例では、例えば、映画では、音声を［ＤｏｌｂｙＡＣ３＋３８４Ｋｂｐｓの符号化レート］に固定し、録画モードなどにより設定された音声と映像全体のビットレートに基づいて、音声に配分された音声ビットレートの残分を映像ビットレートに配分している。
【００３８】
また、音楽では、録画モードにより音声・映像の記録ビットレートが８Ｍｂｐｓ以上に設定された場合（例えば、高画質モード）は、音声を［ＬＰＣＭ＋１．５Ｍｂｐｓの符号化レート］に固定し、音声・映像の記録ビットレートが４Ｍｂｐｓから８Ｍｂｐｓに設定された場合（例えば、標準モード）、音声を［ＤｏｌｂｙＡＣ３＋５１２Ｋｂｐｓの符号化レート］に固定し、音声・映像の記録ビットレートが４Ｍｂｐｓ以下に設定された場合（例えば、長時間モード）は、［ＤｏｌｂｙＡＣ３＋３８４Ｋｂｐｓの符号化レート］に固定し、録画モードなどにより設定された音声と映像全体のビットレートに基づいて、音声に配分された音声ビットレートの残分を映像ビットレートに配分している。
【００３９】
また、映画および音楽以外では、音声を［ＭＰＥＧ１＋１９２Ｋｂｐｓの符号化レート］に固定し、録画モードなどにより設定された音声と映像全体のビットレートに基づいて、音声に配分された音声ビットレートの残分を映像ビットレートに配分している。
【００４０】
また、図５に示すような、可変ビットレート（ＶＢＲ）や固定ビットレート（ＣＢＲ）などの録画方式を制御する録画方式制御用参照テーブル１４３も記録制御部１４０内に格納する。これは、通常は、ビットレートが低いときには、可変ビットレート（ＶＢＲ）の録画方式を選択することにより、動きの激しい箇所の画像の劣化を低くすることができるが、高画質（ＨＱモード）で高ビットレートでの録画の場合では、動きが激しい番組などの場合には、可変ビットレート（ＶＢＲ）を選択すると、ビットレートを可変させる処理のため、逆に画質が悪くなる場合があるので、番組のカテゴリにより、固定ビットレート（ＣＢＲ）の録画方式を選択するためのものである。
【００４１】
図５に示す例では、例えば、高画質（ＨＱモード）で、番組のカテゴリが、「スポーツ」、「音楽」、「バラエティ」、「アニメ」の場合には、固定ビットレート（ＣＢＲ）とし、それ以外の場合には、可変ビットレート（ＶＢＲ）を選択するようになっている。
【００４２】
なお、図４および図５に示したテーブルは、一例であり、例えば、番組のカテゴリが同じ「音楽」でも、ポップスやクラシックなどの音楽番組の種類によって、音声と映像のビットレートの配分を決定するようにテーブルを作成してもいいし、ユーザモードとして、ユーザにより設定された番組のカテゴリに対する音声と映像のビットレートの配分を決めておくようにしてもよい。
【００４３】
また、図４および図５に示したテーブルは、これに限らず、ＥＰＧデータの番組のカテゴリ情報に基づいて、音声と映像のビットレートの配分を決定できるようなテーブルであればどのようなテーブルの構成であってもよい。
【００４４】
＜録画時および録画予約時の動作＞
図６〜図８により、本発明の一実施の形態に係る録画装置における録画時および録画予約時の動作について説明する。図６は本発明の一実施の形態に係る録画装置におけるユーザによるマニュアル録画時の動作を示すフローチャート、図７は本発明の一実施の形態に係る録画装置におけるユーザによる録画予約時の動作を示すフローチャート、図８は本発明の一実施の形態に係る録画装置における録画予約実行時の動作を示すフローチャートである。
【００４５】
まず、ユーザが番組を視聴中に録画操作などにより、番組のマニュアル録画を行う場合の動作は、図６に示すように、ユーザの録画操作などにより、録画開始か否かを判断し（Ｓ１００）、Ｓ１００で録画開始でないと判断されるとＳ１００に戻り、Ｓ１００で録画開始と判断されると、ユーザの録画操作の内容から、録画モード情報を取得する（Ｓ１０１）。
【００４６】
そして、ＥＰＧデータ取得・蓄積部１３０に蓄積されているＥＰＧデータから録画する番組の番組カテゴリ情報を取得し（Ｓ１０２）、Ｓ１０１で取得した録画モードとＳ１０２で取得した番組カテゴリ情報に基づいて、記録ビットレート制御用参照テーブル１４２および録画方式制御用参照テーブル１４３を検索する（Ｓ１０３）。
【００４７】
そして、Ｓ１０３により検索された記録ビットレートおよび録画方式を設定し（Ｓ１０５）、録画を開始する（Ｓ１０５）。
【００４８】
そして、ユーザの操作などにより、録画終了か否かを判断し（Ｓ１０６）、Ｓ１０６で録画終了でないと判断されるとＳ１０６に戻り、Ｓ１０６で録画終了と判断されると、録画を終了する（Ｓ１０７）。
【００４９】
なお、もし、Ｓ１０５での録画開始後、録画している番組が終了し、次の番組になった場合には、ＥＰＧデータ取得・蓄積部１３０に蓄積されているＥＰＧデータにより番組の終了を認識し、次の番組に対して、再度Ｓ１０２〜Ｓ１０４の処理を行い、次の番組の番組カテゴリ情報に基づいた記録ビットレートおよび録画方式で録画することも可能である。
【００５０】
また、ユーザによる録画予約操作などにより、番組の録画予約を行う場合の動作は、図７に示すように、ユーザの録画予約操作などにより、ＥＰＧデータ取得・蓄積部１３０に蓄積されているＥＰＧデータから番組情報を取得し、番組情報を表示部１７０に表示する（Ｓ２００）。
【００５１】
そして、ユーザにより録画予約する予約番組が選択されると（Ｓ２０１）、ＥＰＧデータ取得・蓄積部１３０に蓄積されているＥＰＧデータから録画する番組の番組カテゴリ情報を取得し（Ｓ２０２）、ユーザの録画予約操作の内容から、録画モード情報を取得する（Ｓ２０３）。
【００５２】
そして、Ｓ２０２で取得した番組カテゴリ情報とＳ２０３で取得した録画モードに基づいて、記録ビットレート制御用参照テーブル１４２および録画方式制御用参照テーブル１４３を検索する（Ｓ２０４）。
【００５３】
そして、Ｓ２０４により検索された記録ビットレートおよび録画方式を設定し（Ｓ２０５）、録画予約情報１４１を作成する（Ｓ２０６）。
【００５４】
なお、Ｓ２０１での予約番組選択では、番組を選択するのではなく、録画時間を指定し、複数番組を予約することもでき、例えば、ある時間から４時間の録画予約をするという予約も可能である。
【００５５】
この場合、録画の記録ビットレートおよび録画方式は、例えば、４時間の録画時間内における複数番組の録画時間の比率を求め、その録画時間の比率が最も高い番組を代表として録画の記録ビットレートおよび録画方式を設定する。例えば、４時間の録画時間内に、番組のカテゴリとして、バラエティが１時間、映画が２時間、ニュースが１時間あった場合には、映画の録画時間の比率が最も高くなるため、映画に対応した録画の記録ビットレートおよび録画方式を設定することになる。
【００５６】
また、録画時間で録画予約し、録画時間内に複数の番組がある場合に、ＥＰＧデータ取得・蓄積部１３０に蓄積されているＥＰＧデータから録画時間内の番組を確認し、それぞれの番組を個別のものとして、それぞれの記録ビットレートおよび録画方式を設定して、録画することも可能である。
【００５７】
また、ユーザによる録画予約情報１４１が作成された後の録画動作は、図８に示すように、録画予約情報１４１を参照し（Ｓ３００）、録画予約開始時刻か否かを判断する（Ｓ３０１）。
【００５８】
そして、Ｓ３０１で録画予約開始時刻でないと判断されるとＳ３０１に戻り、Ｓ３０１で録画予約開始時刻と判断されると、録画予約情報１４１により録画を開始する（Ｓ３０２）。
【００５９】
そして、録画予約終了時刻か否かを判断し（Ｓ３０３）、Ｓ３０３で録画予約終了時刻でないと判断されるとＳ３０３に戻り、Ｓ３０３で録画予約終了時刻と判断されると、録画を終了する（Ｓ３０４）。
【００６０】
＜ワイド画面放送番組を録画する際の記録ビットレート＞
次に、図９により、本発明の一実施の形態に係る録画装置におけるワイド画面放送番組を録画する際の記録ビットレートの一例について説明する。図９は本発明の一実施の形態に係る録画装置におけるワイド画面放送番組を録画する際の記録ビットレートを説明するための説明図であり、（ａ）はアスペクト比４：３の画面、（ｂ）はアスペクト比１６：９の画面、（ｃ）はアスペクト比２．３５：１の画面、（ｄ）はアスペクト比２．７０：１の画面を示している。
【００６１】
ＮＴＳＣ方式やＰＡＬ方式では、アスペクト比４：３のテレビジョン表示管を採用している。これに対し、劇場などで放送される映画は、ワイド画面（１６：９，２．３５：１，２．７０：１）といった横長のアスペクト比を採用している。このため、ワイド画面の番組を４：３のアスペクト比を持つテレビジョンシステムで放送する際には、図９（ｂ）〜（ｄ）に示すように、画面の上下に黒い帯ができるのが普通である。
【００６２】
また、ＥＰＧデータの情報内には、映画という番組カテゴリ情報の他に、スクリーンサイズの情報や、番組情報内にワイド画面による番組である旨の情報が含まれている。ＥＰＧデータとは別に、入力アナログ映像信号の垂直帰線期間に挿入されているアスペクト情報を用いても良い。
【００６３】
また、通常デジタル記録器機では、例えば、ＮＴＳＣ系の場合の、画素構成は、図９（ａ）に示すように、７２０画素×４８０ラインといったサンプリングを行うのが普通である。
【００６４】
しかし、ワイド画面での放送の場合、画面の上下に黒い帯が常に表示されているため、ＭＰＥＧなどの記録方式では動きが全くなく、周波数成分もＤＣ成分のみである部分には、データの割り当てが行われない。したがって、図９（ｂ）〜（ｄ）に示すように、７２０画素×３６０ライン，７２０画素×２７２ライン，７２０画素×２３８ライン相当の処理となり、１画素あたりのデータ割り当て量が、７２０画素×４８０ラインの場合と比較し１．３〜２倍程度多くなる。
【００６５】
つまり、ワイド画面の番組の場合には、アスペクト比４：３の番組の映像の記録ビットレートの１／１．３〜１／２倍程度となる記録ビットレートを選択しても、ほぼ同じ１画素あたりのデータ量となる。
【００６６】
したがって、図４に示すような記録ビットレート制御用参照テーブル１４２において、ワイド画面の映画の場合の映像の記録ビットレートをアスペクト比４：３の番組の映像の記録ビットレートの１／１．３〜１／２倍程度となるように決めることにより、映像はアスペクト比４：３の番組と同等の品質を保ったまま、データ量を少なくすることができ、その分長時間の録画を行うことが可能となる。
【００６７】
なお、図４に示すような記録ビットレート制御用参照テーブル１４２の映画に対する記録ビットレートはそのままのデータを使用し、ワード画面の映画の場合には、その情報により、映像の記録ビットレートを１／１．３〜１／２倍にした値を映像の記録ビットレートとして設定するようにしてもよい。
【００６８】
なお、本実施の形態では、例えば、高画質（ＨＱモード）、標準（ＳＰモード）、長時間（ＬＰモード）等の録画モードは、ユーザ自身により選択しているが、録画モードも、番組のカテゴリ情報に基づいて、設定されるようにしてもよい。その場合は、ユーザからの録画モードの指定がなければ、録画する番組のカテゴリ情報に基づいて、録画モードとその録画モードに対する映像の記録ビットレートと音声の記録ビットレートが設定されることになる。
【００６９】
以上のように、本実施の形態では、ＥＰＧデータの番組カテゴリ情報に基づいて、記録ビットレート制御用参照テーブル１４２や録画方式制御用参照テーブル１４３を検索して、映像・音声の記録ビットレートや、映像・音声の記録フォーマットなどを制御するため、合計の記録ビットレートは同じでも、番組の特性に合致した映像・音声の記録ビットレートの制御や、映像・音声の記録フォーマットを自動選択することが可能である。
【００７０】
以上、本発明者によってなされた発明を実施の形態に基づき具体的に説明したが、本発明は前記実施の形態に限定されるものではなく、その要旨を逸脱しない範囲で種々変更可能であることはいうまでもない。
【図面の簡単な説明】
【００７１】
【図１】本発明の一実施の形態に係る録画装置の構成を示す構成図である。
【図２】本発明の一実施の形態に係る録画装置における映像・音声圧縮記録制御部の構成を示す構成図である。
【図３】本発明の一実施の形態に係る録画装置における映像・音声圧縮記録制御部の構成を示す構成図である。
【図４】本発明の一実施の形態に係る録画装置における記録ビットレート制御用参照テーブルの一例を示す図である。
【図５】本発明の一実施の形態に係る録画装置における録画方式制御用参照テーブルの一例を示す図である。
【図６】本発明の一実施の形態に係る録画装置におけるユーザによるマニュアル録画時の動作を示すフローチャートである。
【図７】本発明の一実施の形態に係る録画装置におけるユーザによる録画予約時の動作を示すフローチャートである。
【図８】本発明の一実施の形態に係る録画装置における録画予約実行時の動作を示すフローチャートである。
【図９】本発明の一実施の形態に係る録画装置におけるワイド画面放送番組を録画する際の記録ビットレートを説明するための説明図である。
【符号の説明】
【００７２】
１００…テレビジョン信号受信部、１１０…音声圧縮記録制御部、１１１，１１２…アナログデジタル変換部、１１３…映像圧縮処理部、１１４…音声圧縮処理部、１１５…映像データ音声データ多重化処理部、１１６…圧縮ビットレート・パラメータ制御処理部、１１７…ＡＶ分離部、１２０…蓄積記録部、１３０…ＥＰＧデータ取得・蓄積部、１４０…記録制御部、１４１…録画予約情報、１４２…記録ビットレート制御用参照テーブル、１４３…録画方式制御用参照テーブル、１５０…リモコン、１６０…リモコン受信部、１７０…表示部。
【図１】
2006013977.tif 000003
【図２】
2006013977.tif 000004
【図３】
2006013977.tif 000005
【図４】
2006013977.tif 000006
【図５】
2006013977.tif 000007
【図６】
2006013977.tif 000008
【図７】
2006013977.tif 000009
【図８】
2006013977.tif 000010
【図９】
2006013977.tif 000011